(57)【要約】【課題】ネット注文する食品の注文量が冷蔵庫の収容可能容積内に収まるように制御する。【解決手段】ネットワークを経由して情報処理端末から食品を注文する食品注文システムにおける食品注文方法は、ユーザが所有している冷蔵庫の空き容積値を受信し、食品注文システムにて取り扱っている食品と食品の容積値とを関連付けて管理するメモリを用いて、ユーザが注文予定の食品の総容積値を決定し（Ｓ１００３）、受信した冷蔵庫の空き容積値と、決定した食品の総容積値を比較し（Ｓ１００４）、冷蔵庫の空き容量値が、食品の総容積値よりも小さい場合、ユーザへの警告を情報処理端末に表示させる（Ｓ１００５）。【選択図】図５
2016081267.tif 000002
【特許請求の範囲】
【請求項１】
ネットワークを経由して情報処理端末から食品を注文する食品注文システムにおける食品注文方法であって、
ユーザが所有している冷蔵庫の空き容積値を受信し、
前記食品注文システムにて取り扱っている食品と前記食品の容積値とを関連付けて管理するメモリを用いて、前記ユーザが注文予定の食品の総容積値を決定し、
前記受信した冷蔵庫の空き容積値と、前記決定した食品の総容積値を比較し、
前記冷蔵庫の空き容量値が、前記食品の総容積値よりも小さい場合、前記ユーザへの警告を前記情報処理端末に表示させる、
食品注文方法。
【請求項２】
前記冷蔵庫は少なくとも冷蔵室と冷凍室とを備え、
前記受信した冷蔵庫の空き容積値は、冷蔵室の空き容積値と冷凍室の空き容積値とを含み、
前記食品注文システムにて取り扱っている食品と前記食品が冷蔵保存されるか冷凍保存されるかの属性を示す情報とを関連付けて管理するメモリをさらに用いて、前記ユーザが注文予定の食品のうち、冷蔵保存される食品の総容積値と、冷凍保存される食品の総容積値とをそれぞれ決定し、
前記受信した冷蔵室の空き容積値と、前記決定した冷蔵保存される食品の総容積値を比較し、
前記冷蔵室の空き容積値が、前記冷蔵保存される食品の総容積値よりも小さい場合、前記ユーザへの警告を前記情報処理端末に表示させ、
前記受信した冷凍室の空き容積値と、前記決定した冷凍保存される食品の総容積値を比較し、
前記冷凍室の空き容積値が、前記冷凍保存される食品の総容積値よりも小さい場合、前記ユーザへの警告を前記情報処理端末に表示させる、
ことを特徴とする請求項１に記載の食品注文方法。
【請求項３】
前記ユーザへの警告は、前記冷蔵庫の空き容積内に収容可能な食品の推奨を含む、
ことを特徴とする請求項１又は請求項２に記載の食品注文方法。
【請求項４】
前記冷蔵庫の空き容積内に収容可能な食品の推奨は、前記ユーザが注文予定の食品と同一種別の食品であり、かつ前記ユーザが注文予定の食品の容積値よりも小さい容積値と関連付けられている食品の購入を推奨する、
ことを特徴とする請求項３に記載の食品注文方法。
【請求項５】
前記冷蔵庫は光センサを備え、
前記光センサは、前記冷蔵庫の貯蔵室に設けられた照明からの光量を検出し、
前記検出した光量の変化に基づいて推定した、前記冷蔵庫の空き容積値を受信する、
ことを特徴とする請求項１に記載の食品注文方法。
【請求項６】
前記ユーザが注文予定の食品の配達予定日を決定し、
前記ユーザが現在から配達予定日までに食事を作る回数と食事１回当たりの食品の平均消費量に基づいて推定した、前記食品の配達日における前記冷蔵庫の空き容量値を受信する、
ことを特徴とする請求項５に記載の食品注文方法。
【発明の詳細な説明】
【技術分野】
【０００１】
本発明は、食品注文方法に関する。
【背景技術】
【０００２】
最近、ネットワークに接続可能な端末装置を使用し、インターネット経由で注文し、ユーザ宅まで食品を配送してもらう、食品のネットスーパーサービスという業務形態が多く見られる。ユーザは、端末装置を使用し、画面に一覧表示される食品を選択して注文する。ネット注文する感覚は、実店舗で食品を購入する感覚とは異なるので、実店舗での買い物に、より近い感覚でユーザがネット注文できるよう支援する情報処理端末の食品表示方法が提案されている。
【０００３】
例えば、特許文献１では、ネット注文用の情報処理端末の商品一覧画面にて、商品ジャンル毎だけではなく、商品ジャンルの異なる商品を連続して表示させる方法が提案されている。これにより、ユーザは、実店舗での買い物を疑似体験することができる。
【先行技術文献】
【特許文献】
【０００４】
【特許文献１】特開２０１１−１５９０６１号公報
【発明の概要】
【発明が解決しようとする課題】
【０００５】
しかしながら、食品をネット注文する場合、実店舗での購入のように実物を手に取り、その容積を感覚的に把握することできないので、過剰に注文してしまい、その結果、届いた食品を冷蔵庫に収容できないという事態を招くという問題がある。
【０００６】
上述した先行技術文献では、実店舗での買い物に近い感覚で、食品を選択することはできる。しかし、その食品の容積に関する感覚までは疑似体験できないので、注文をし過ぎてしまうという問題は、解決されない。
【０００７】
そこで、本発明は、ネット注文する食品の注文量が冷蔵庫の収容可能容積内に収まるように制御することができる食品注文方法を提供する。
【課題を解決するための手段】
【０００８】
本発明の一態様に係る食品注文方法は、ネットワークを経由して情報処理端末から食品を注文する食品注文システムにおける食品注文方法であって、ユーザが所有している冷蔵庫の空き容積値を受信し、前記食品注文システムにて取り扱っている食品と前記食品の容積値とを関連付けて管理するメモリを用いて、前記ユーザが注文予定の食品の総容積値を決定し、前記受信した冷蔵庫の空き容積値と、前記決定した食品の総容積値を比較し、前記冷蔵庫の空き容量値が、前記食品の総容積値よりも小さい場合、前記ユーザへの警告を前記情報処理端末に表示させる。
【０００９】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１０】
本発明によれば、ネット注文する食品の注文量が冷蔵庫の収容可能容積内に収まるように制御することができる。
【図面の簡単な説明】
【００１１】
【図１】図１は、実施の形態に係る冷蔵庫と情報処理端末２００と店舗サーバ３００から構成されるシステムの一例を示すブロック図である。
【図２】図２は、実施の形態に係る冷蔵庫の構成の一例を示すブロック図である。
【図３】図３は、実施の形態に係る情報処理端末２００の構成の一例を示すブロック図である。
【図４】図４は、実施の形態に係る店舗サーバ３００の構成の一例を示すブロック図である。
【図５】図５は、実施の形態に係る冷蔵庫１００、情報処理端末２００と店舗サーバ３００間のタイムチャートである。
【図６】図６は、実施の形態に係る冷蔵庫１００の空き容積の推定の指示を出す方法の一例を表した図である。
【図７】図７は、実施の形態に係る冷蔵庫１００の光センサによる空き容積推定の動作の一例を表した図である。
【図８】図８は、実施の形態に係る冷蔵庫１００における空き容積推定結果の一例を表した図である。
【図９】図９は、実施の形態に係る冷蔵庫１００の空き容積推定における時間軸と貯蔵室の空き容積との関係を表した図である。
【図１０】図１０は、実施の形態に係る冷蔵庫１００において、空き容積推定結果をユーザに通知する場合のフローチャートである。
【図１１】図１１は、実施の形態に係る情報処理端末２００で生成する注文候補リストの一例を表した図である。
【図１２】図１２は、実施の形態に係る店舗サーバ３００が所持する商品データベースの一例を表した図である。
【図１３】図１３は、実施の形態に係る店舗サーバ３００で生成する注文候補リストの容積算出結果の一例を表した図である。
【図１４】図１４は、実施の形態に係る情報処理端末２００における注文リストを確定するまでの詳細フローチャートである。
【図１５】図１５は、実施の形態に係る店舗サーバ３００における処理のフローチャートである。
【発明を実施するための形態】
【００１２】
上記のとおり、食品をネット注文する場合、実店舗での購入のように実物を手に取り、その容積を感覚的に把握することできないので、過剰に注文してしまい、その結果、届いた食品を冷蔵庫に収容できないという事態を招くという問題がある。
【００１３】
そこで、本発明は、ネット注文する食品の注文量が冷蔵庫の収容可能容積内に収まるように制御することができる食品注文方法を提供する。
【００１４】
上記問題を解決するために、本発明の一態様に係る食品注文方法は、ネットワークを経由して情報処理端末から食品を注文する食品注文システムにおける食品注文方法であって、ユーザが所有している冷蔵庫の空き容積値を受信し、前記食品注文システムにて取り扱っている食品と前記食品の容積値とを関連付けて管理するメモリを用いて、前記ユーザが注文予定の食品の総容積値を決定し、前記受信した冷蔵庫の空き容積値と、前記決定した食品の総容積値を比較し、前記冷蔵庫の空き容量値が、前記食品の総容積値よりも小さい場合、前記ユーザへの警告を前記情報処理端末に表示させる。
【００１５】
これによれば、ネット注文により食品を購入する場合においても、注文のし過ぎを抑制し、食品の購入量を冷蔵庫の収容可能容積内に収めることができる。その結果、買い過ぎによる支出の増加を抑制し、また、冷蔵効率の改善による光熱費を削減することができる。
【００１６】
例えば、前記冷蔵庫は少なくとも冷蔵室と冷凍室とを備え、前記受信した冷蔵庫の空き容積値は、冷蔵室の空き容積値と冷凍室の空き容積値とを含み、前記食品注文システムにて取り扱っている食品と前記食品が冷蔵保存されるか冷凍保存されるかの属性を示す情報とを関連付けて管理するメモリをさらに用いて、前記ユーザが注文予定の食品のうち、冷蔵保存される食品の総容積値と、冷凍保存される食品の総容積値とをそれぞれ決定し、前記受信した冷蔵室の空き容積値と、前記決定した冷蔵保存される食品の総容積値を比較し、前記冷蔵室の空き容積値が、前記冷蔵保存される食品の総容積値よりも小さい場合、前記ユーザへの警告を前記情報処理端末に表示させ、前記受信した冷凍室の空き容積値と、前記決定した冷凍保存される食品の総容積値を比較し、前記冷凍室の空き容積値が、前記冷凍保存される食品の総容積値よりも小さい場合、前記ユーザへの警告を前記情報処理端末に表示させる。
【００１７】
例えば、前記ユーザへの警告は、前記冷蔵庫の空き容積内に収容可能な食品の推奨を含む。
【００１８】
例えば、前記冷蔵庫の空き容積内に収容可能な食品の推奨は、前記ユーザが注文予定の食品と同一種別の食品であり、かつ前記ユーザが注文予定の食品の容積値よりも小さい容積値と関連付けられている食品の購入を推奨する。
【００１９】
例えば、前記冷蔵庫は光センサを備え、前記光センサは、前記冷蔵庫の貯蔵室に設けられた照明からの光量を検出し、前記検出した光量の変化に基づいて推定した、前記冷蔵庫の空き容積値を受信する。
【００２０】
例えば、前記ユーザが注文予定の食品の配達予定日を決定し、前記ユーザが現在から配達予定日までに食事を作る回数と食事１回当たりの食品の平均消費量に基づいて推定した、前記食品の配達日における前記冷蔵庫の空き容量値を受信する。
【００２１】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２２】
以下、本発明の実施の形態について、図面を参照して詳細に説明する。
【００２３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２４】
（実施の形態）
本発明の実施の形態について説明する。
【００２５】
本実施の形態に係る冷蔵庫１００と、情報処理端末２００と、店舗サーバ３００とを備えるシステムについて、図１を用いて説明する。図１は、本実施の形態に係る冷蔵庫１００と、情報処理端末２００と、店舗サーバ３００とを備えるシステムの一例を示すブロック図である。なお、本システムのことを、発注制御冷蔵庫システムともいう。
【００２６】
図１において、冷蔵庫１００は、食品を低温で保管することを目的とした製品であり、少なくても１つ以上の貯蔵室を備える。
【００２７】
情報処理端末２００は、例えば、スマートフォン、またはタブレットなどのインターネットに接続可能な情報処理装置である。
【００２８】
店舗サーバ３００は、例えば、ネットスーパーがネット注文の受付サイトを運用するサーバである。ネットスーパーとは、宅配専門の業者がインターネットで注文を受け付け、ユーザ宅まで注文食品を配達する宅配サービス（いわゆるインターネット上のスーパーマーケット）である。
【００２９】
冷蔵庫１００と情報処理端末２００とは、同一のローカルエリアネットワーク内に属しており、例えば、公知の近距離無線通信方式等の無線ネットワークを介して接続される。情報処理端末２００と店舗サーバ３００とは、インターネットを介して接続される。
【００３０】
本実施の形態に係る冷蔵庫１００の構成について、図２を用いて説明する。図２は、本実施の形態に係る冷蔵庫１００の構成の一例を示すブロック図である。
【００３１】
冷蔵庫１００は、受信処理部１０と、空き容積推定部１１と、空き容積通知部１２と、送信処理部１３とを備える。
【００３２】
受信処理部１０は、他の装置と通信する通信インタフェースである。受信処理部１０は、例えば、情報処理端末２００から空き容積推定の指示と食品到着間隔を受信する。
【００３３】
空き容積推定部１１は、受信処理部１０が情報処理端末２００から空き容積推定の指示を受信した場合、それぞれの貯蔵室の空き容積を推定する。空き容積推定を実施するタイミングは、情報処理端末２００から空き容積推定の指示を受信する場合に加えて、定期的に実施され、空き容積推定結果が空き容積通知部１２に送信される。
【００３４】
冷蔵庫１００の空き容積通知部１２は、空き容積推定部１１から受信した空き容積推定結果が、冷蔵庫１００全体の容積に対する食品の容積率が一定以上になった場合には、その容積率をユーザに通知する。通知する空き容積率は、例えば、１つでも良いし、複数も設定しても良い。また、通知方法は、音声ファイル再生による通知でも良いし、画面表示による通知でも良い。
【００３５】
送信処理部１３は、他の装置と通信する通信インタフェースである。送信処理部１３は、例えば、空き容積推定部１１から空き容積推定結果を受信し、情報処理端末２００に送信する。
【００３６】
以上、冷蔵庫１００の構成の一例について説明した。
【００３７】
本実施の形態に係る情報処理端末２００の構成について、図３を用いて説明する。図３は、本実施の形態に係る情報処理端末２００の構成の一例を示すブロック図である。
【００３８】
情報処理端末２００は、受信処理部２０と、食品発注部２１と、注文リスト生成部２２と、注文候補リスト生成部２３と、空き容積推定指示部２４と、送信処理部２５とを備える。
【００３９】
受信処理部２０は、他の装置と通信する通信インタフェースである。受信処理部２０は、例えば、冷蔵庫１００から空き容積推定値、店舗サーバ３００から容積比較結果を受信する。
【００４０】
食品発注部２１は、注文リスト生成部２２から受信した注文リストに基づき、発注する。
【００４１】
注文リスト生成部２２は、注文候補リスト生成部２３から受信した注文候補リストと、受信処理部２０が店舗サーバ３００から受信した容積比較結果に基づき、注文リストを生成する。
【００４２】
注文候補リスト生成部２３は、店舗サーバ３００に注文する注文候補リストを生成する。
【００４３】
空き容積推定指示部２４は、冷蔵庫１００に対して、空き容積推定の指示を生成し、送信処理部２５に送信する。
【００４４】
送信処理部２５は、空き容積推定指示部２４から空き容積推定指示を受信し、冷蔵庫１００に送信する。また、店舗サーバ３００に、注文候補リストと注文リストを送信する。
【００４５】
以上、情報処理端末２００の構成の一例について説明した。
【００４６】
本実施の形態に係る店舗サーバ３００の構成について、図４を用いて説明する。
【００４７】
店舗サーバ３００は、受信処理部３０と、注文リスト容積算出部３１と、容積比較部３２と、送信処理部３３とを備える。
【００４８】
受信処理部３０は、他の装置と通信する通信インタフェースである。受信処理部３０は、情報処理端末２００から、空き容積推定結果と、注文候補リストと、注文リストとを受信する。受信処理部３０は、注文候補リストを注文リスト容積算出部３１に送信し、空き容積推定結果を容積比較部３２に送信する。
【００４９】
注文リスト容積算出部３１は、受信処理部３０から受信した注文候補リストに基づき、注文候補リストの容積を算出する。
【００５０】
容積比較部３２は、受信処理部３０から受信した冷蔵庫１００の空き容積推定結果と注文リスト容積算出部３１から受信する注文候補リストの容積算出結果に基づき、冷蔵庫１００の空き容積推定値と注文候補リストの容積算出値を比較し、容積比較結果を送信処理部３３に送信する。
【００５１】
送信処理部３３は、容積比較部３２から冷蔵庫１００の空き容積推定値と注文候補リストの容積算出値の比較結果を受信し、情報処理端末２００に送信する。
【００５２】
以上、店舗サーバ３００の構成の一例について説明した。
【００５３】
以上、本実施の形態に係る冷蔵庫１００と情報処理端末２００と店舗サーバ３００から構成されるシステムについて説明した。
【００５４】
次に、本実施の形態に係る冷蔵庫１００と、情報処理端末２００と、店舗サーバ３００とを備えるシステムの動作について、図５を用いて説明する。図５は、本実施の形態に係る冷蔵庫１００と、情報処理端末２００と、店舗サーバ３００とを備えるシステムの動作の一例を示すシーケンス図である。
【００５５】
まず、情報処理端末２００の空き容積推定指示部２４は、冷蔵庫１００に対して、冷蔵庫１００のそれぞれの貯蔵室の空き容積を推定する指示と、空き容積推定に必要な情報、例えば、食品が到着するまでに食事を作る回数、１日当りの食品の消費量等を送信する（ステップＳ１０００）。
【００５６】
空き容積推定の指示を出すタイミングについては、例えば、図６に示す店舗サーバ３００のネット注文用のＷｅｂブラウザにおいて、食品が到着するまでに食事を作る回数を入力するラジオボタン４０をチェックし、家族の人数を入力するラジオボタン４１をチェックして、食事１回当りの平均消費量を決定し、冷蔵庫１００の空き容積の推定を指示するためのボタン４２をクリックする方法などがある。
【００５７】
冷蔵庫１００の空き容積推定部１１において空き容積を推定するためには、ネット注文を実施した時点から食品が届くまでの時間である食品到達間隔が必要である。食品到達間隔は、例えば、ネット発注時点から食品が届く時点までの時間が一定の場合には、その時間が食品到達間隔となる。食品が届く日時が確定している場合には、ネット発注時点から食品が届く時点までが食品到達間隔となる。
【００５８】
情報処理端末２００から空き容積推定指示と食品到着間隔を受信した冷蔵庫１００は、空き容積を推定し、空き容積推定値を情報処理端末２００に送信する（ステップＳ１００１）。
【００５９】
空き容積推定は、例えば、光センサを使用する。光センサによる空き容積推定の動作について、図７を用いて説明する。冷蔵庫１００の貯蔵室には、背面に光量検知部５１、右壁面に右側発光部５２、左壁面に左側発光部５３が配置されている。右側発光部５２と左側発光部５３から出力された光の一部は、貯蔵室５０内に収納された食品５４を照射し、また、貯蔵室背面に配置された光量検知部５１に入射する。光量検知部５１に入射する光量は、貯蔵室内に配置された食品の容積に依存し、食品の容積が大きければ、光量検知部５１に入射する光量は減少し、食品の容積が小さければ、光量検知部５１に入射する光量は増加する。光量検知部５１における光量の検知結果を、予め設定した基準となる閾値と比較することにより、貯蔵室内の空き容積を推定することができる。
【００６０】
空き容積推定は、冷蔵室と冷蔵室とのそれぞれに対して実施される。図８は、空き容積推定結果であり、冷蔵室及び冷凍室のそれぞれについての、空き容積の推定結果と、冷蔵室及び冷凍室それぞれの空き容積の比率から構成される。図７は、冷蔵室と冷凍室の２つの空き容積推定結果のみを使って説明したが、例えば、冷蔵室と冷凍室に加えて、野菜室やチルド室を備える冷蔵庫１００である場合には、野菜室やチルド室の空き容積推定についても実施するのが好ましい。
【００６１】
食品が届く時点での冷蔵庫１００の空き容積推定は、上述した空き容積推定時点での空き容積推定結果に対して、食品が届く時間までに消費する食品の容積を加えることにより推定する。具体的には、図９を用いて説明する。
【００６２】
図９は、時間軸及び貯蔵室の空き容積を関係付けるグラフである。空き容積推定時点から時間が経過するにつれて、貯蔵室内の食品が消費されるため、貯蔵室の空き容積が増加する。
【００６３】
食品が届くまでに消費される食品の容積の推定方法は、例えば、（式１）のように、食事１回当りの消費量（リットル／回）に、食品が到着するまでに食事を作る回数（回）を乗算することにより、推定することが可能である。
【００６４】
空き容積推定値（リットル）  ＝  食事１回当りの消費量（リットル／回）  ×  食品が到着するまでに食事を作る回数（回）          （式１）
【００６５】
情報処理端末２００において、食事１回当りの平均消費量を決定するパラメータとして、上述した家族の人数以外にも、例えば、年齢、季節など、１回当りの食品の消費量に影響を与える他のパラメータを考慮しても良い。また、１週間の献立に使用する食材とその量を予め決めている場合には、例えば、１週間の献立をまとめて調理するための調理レシピサービス等を利用する場合には、食品が到着するまでに消費する食材を入力することにより、より正確に食品が到着するまでの食品の消費量を推定することが可能となる。
【００６６】
図１０は、情報処理端末２００からの冷蔵庫１００の空き容積推定の指示に関係なく、冷蔵庫１００の空き容積推定を実施する場合のフローチャートである。
【００６７】
定期的な空き容積推定は、まず、時刻を確認し、定期的な空き容積推定の時刻と比較する（ステップＳ２０００）。
【００６８】
次に、時刻が定期的な空き容積推定の時刻に一致する場合には、空き容積推定を実施する（ステップＳ２００１）。
【００６９】
次に、空き容積推定結果と予め設定した空き容積の閾値とを比較する（ステップＳ２００２）。
【００７０】
その結果、空き容積推定結果が予め設定した閾値より大なる場合には、ユーザに空き容積推定結果を通知する（ステップＳ２００３）。
【００７１】
図５に戻り、情報処理端末２００の受信処理部２０は、冷蔵庫１００から空き容積推定値を受信し、注文候補リスト生成部２３において、注文候補リストを生成し、送信処理部２５から空き容積推定値と注文候補リストとを店舗サーバ３００に送信する（ステップＳ１００２）。
【００７２】
図１１は、注文候補リストの一例である。商品コード、製造メーカ、商品名、価格、注文個数、及び、貯蔵方法から構成される。注文候補リストは、ユーザがネットスーパーの注文サイトにおいて、購入したい商品を選択し、買いカゴに入った結果を一覧にしたものである。
【００７３】
図５に戻り、店舗サーバ３００の受信処理部３０が情報処理端末２００から空き容積推定値と注文候補リストとを受信し、注文リスト容積算出部３１において、注文候補リストの容積を算出し、空き容積推定値、注文候補リストの容積算出値を容積比較部３２に送信する（ステップＳ１００３）。
【００７４】
図１２は、店舗サーバ３００の所持する商品データベースの一例である。商品コード、製造メーカ、商品名、質量、容積、及び、貯蔵方法から構成される。注文リスト容積算出部３１では、注文候補リストに記載されている商品コードの商品を選択し、それぞれの商品について、注文数に相当する容積を貯蔵方法別に足し合わせることにより、貯蔵方法別の注文リストの容積を算出する。
【００７５】
図１３は、注文候補リストの容積算出結果の一例である。貯蔵方法、商品コード、商品名、個数、個別商品の容積、及び、貯蔵室別の食品リストの容積から構成される。図１１は、収容する貯蔵室として、冷蔵室と冷凍室の２つの場合を前提としたが、例えば、冷蔵室と冷凍室に加えて、野菜室やチルド室の貯蔵室がある場合には、野菜室やチルド室に対しても、同様な食品リストの容積推定を実施するのが好ましい。
【００７６】
店舗サーバ３００の容積比較部３２では、冷蔵庫１００の空き容積推定値と注文リスト容積算出部３１から受信した注文候補リストの容積算出結果を比較し、比較結果を情報処理端末２００に送信する。
【００７７】
図５に戻り、情報処理端末２００の受信処理部２０は、店舗サーバ３００から容積比較結果を受信し、注文候補リストの容積算出値が空き容積推定値より大なる場合には、ユーザに対して警告を出し、ユーザに注文候補リストの変更を促し、注文リストを生成する（ステップＳ１００５）。
【００７８】
図１４は、注文候補リストから注文リストを生成するまでのフローチャートである。まず、情報処理端末２００の受信処理部２０が店舗サーバ３００から冷蔵庫１００の空き容積推定値と注文候補リストの容積算出値との容積比較結果を受信し（ステップＳ４０００）、容積比較結果を判定する（ステップＳ４００１）。
【００７９】
注文候補リストの容積算出値が冷蔵庫１００の空き容積推定値より大なる場合には、ユーザに対して、注文候補リストの容積が冷蔵庫１００の収容可能な容積を超えてしまう可能性があることを警告し（ステップＳ４００２）、ユーザに注文候補リストの変更を促す（ステップＳ４００３）。ユーザが注文候補リストを変更する場合には、変更した注文候補リストを店舗サーバ３００に送信する（ステップＳ４００４）。ユーザが注文候補リストを変更しない場合には、注文リストを確定する（ステップＳ４００５）。
【００８０】
注文候補リストの容積算出値が１００の空き容積推定値より大なる場合であり、再び注文候補リストを生成する場合には、ユーザが注文候補リストの変更を中止しない限り、情報処理端末２００と店舗サーバ３００の間で、処理ステップステップＳ１００２〜ステップＳ１００６を繰り返す。
【００８１】
注文候補リストの容積算出値が冷蔵庫１００の空き容積推定値より小なる場合には、注文リストを確定する（ステップＳ４００５）。
【００８２】
情報処理端末２００の食品発注部２１は、注文リスト生成部から受信した注文リストに基づき、送信処理部２５から店舗サーバ３００に発注する（ステップＳ１００６）。
【００８３】
店舗サーバ３００の受信処理部３０は、情報処理端末２００から注文リストを受信する（ステップＳ１００８）。
【００８４】
図１５は、注文候補リストの容積算出から推奨注文リストを作成する処理を示すフローチャートである。
【００８５】
まず、店舗サーバ３００は、注文候補リストの容積を算出する（ステップＳ３０００）。
【００８６】
次に、店舗サーバ３００は、注文候補リストの容積算出値と、空き容量推定値とを比較する（ステップＳ３００１）。注文候補リストの容積算出値が空き容量推定値より大きいと判定された場合（ステップＳ３００１でＹＥＳ）には、推奨注文リストを作成する（ステップＳ３００２）。
【００８７】
ステップＳ３００２の後、及び、ステップＳ３００１で注文候補リストの容積算出値が空き容量推定値より大きくないと判定された場合（ステップＳ３００１でＮＯ）、容積比較結果を情報処理端末に送信する（ステップＳ３００３）。
【００８８】
このように本実施の形態によれば、ユーザは、情報処理端末２００において、冷蔵庫１００の空き容積推定値を超える食品を注文した場合でも、店舗サーバ３００において、注文候補の食品が冷蔵庫１００に収容できないことを検知し、情報処理端末２００にフィードバックすることができるため、冷蔵庫１００に収容可能な容積を超える注文を防ぎ、注文量の冷蔵庫１００の収容可能な容積以下に抑えることが可能である。
【００８９】
以上、本発明の実施の形態について説明してきたが、本発明は上述した実施の形態に限定されるものではない。
【００９０】
本実施例の形態では、冷蔵庫１００において、推定時点での空き容積推定値に対して、食品が到達するまでの食品の消費量を補間することにより、食品が到着する時点での空き容積推定値を求めたが、情報処理端末２００が冷蔵庫１００から推定時点での空き容積推定値のみを受信し、食品が到達する時点での空き容積推定値を求める機能を情報処理端末に具備させることも可能である。
【００９１】
また、本実施例の形態では、食品リストの容積と冷蔵庫１００の空き容積の比較処理を店舗サーバ３００の容積比較部３２で実施したが、この処理は、情報処理端末２００に容積比較の機能を具備させることにより、情報処理端末２００で実施することが可能である。
【００９２】
また、本実施例の形態では、注文候補リストの容積算出値が冷蔵庫１００の空き容積推定値より大なる場合に、ユーザに対して、注文候補リストの容積が冷蔵庫１００の収容可能な容積を超えてしまう可能性があることを警告することに止めたが、注文候補リストの中で、容積を低減可能な食品のリストを、店舗サーバ３００が情報処理端末２００に対して送信し、ユーザに提示するようにしても良い。
【００９３】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記実施の形態の発注制御冷蔵庫システムなどを実現するソフトウェアは、次のようなプログラムである。
【００９４】
すなわち、このプログラムは、コンピュータに、ネットワークを経由して情報処理端末から食品を注文する食品注文システムにおける食品注文方法であって、ユーザが所有している冷蔵庫の空き容積値を受信し、前記食品注文システムにて取り扱っている食品と前記食品の容積値とを関連付けて管理するメモリを用いて、前記ユーザが注文予定の食品の総容積値を決定し、前記受信した冷蔵庫の空き容積値と、前記決定した食品の総容積値を比較し、前記冷蔵庫の空き容量値が、前記食品の総容積値よりも小さい場合、前記ユーザへの警告を前記情報処理端末に表示させる食品注文方法を実行させる。
【００９５】
以上、一つまたは複数の態様に係るシステムなどについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【００９６】
本発明に係る発注制御冷蔵庫システムにおける制御方法とプログラムは、在庫管理が必要であり、インターネットに接続されるすべての家電に対して利用可能である。
【符号の説明】
【００９７】
１０  受信処理部
１１  空き容積推定部
１２  空き容積通知部
１３  送信処理部
２０  受信処理部
２１  食品発注部
２２  注文リスト生成部
２３  注文候補リスト生成部
２４  空き容積推定指示部
２５  送信処理部
３０  受信処理部
３１  注文リスト容積算出部
３２  容積比較部
３３  送信処理部
４０  食品が到着するまでに食事を作る回数を入力するラジオボタン
４１  家族の人数を入力するラジオボタン
４２  空き容積推定ボタン
５０  貯蔵室
５１  光量検知部
５２  右側発光部
５３  左側発光部
５４  食品
１００  冷蔵庫
２００  情報処理端末
３００  店舗サーバ
【図１】
2016081267.tif 000003
【図２】
2016081267.tif 000004
【図３】
2016081267.tif 000005
【図４】
2016081267.tif 000006
【図５】
2016081267.tif 000007
【図６】
2016081267.tif 000008
【図７】
2016081267.tif 000009
【図８】
2016081267.tif 000010
【図９】
2016081267.tif 000011
【図１０】
2016081267.tif 000012
【図１１】
2016081267.tif 000013
【図１２】
2016081267.tif 000014
【図１３】
2016081267.tif 000015
【図１４】
2016081267.tif 000016
【図１５】
2016081267.tif 000017